【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  投影スクリーンと；
前記投影スクリーンを軸周りに回転させる手段と；
前記投影スクリーン上に映像を連続的に投影する光学システム；
とを備えるビデオ映像回転装置であって、
前記投影スクリーンは、前記投影された映像を前記スクリーンの回転軸にほぼ平行に拡大する手段と、前記投影された映像の幅を前記スクリーンの回転軸とほぼ垂直の方向に圧縮する手段とを備え、前記拡大手段が、凸の巨視的な円筒型構造の上部に微視的な円筒型構造を含む第１表面を備え、前記巨視的および微視的な円筒型構造が、前記投影スクリーンの幅に対して平行であることを特徴とするビデオ映像回転装置。
【請求項２】  前記微視的な円筒型構造は、約２１３ミクロンの半径と約２５０ミクロンの間隔をもつ放射状の表面を備え、前記の巨視的な円筒型構造は約３４０ｍｍの半径をもつ放射状の表面を備えることを特徴とする請求項１に記載のビデオ映像回転装置。
【請求項３】  前記投影された映像の幅を前記スクリーンの回転軸にほぼ垂直な方向に圧縮する手段は、前記投影スクリーンの高さ方向に平行な凸の円筒型フレネルレンズを形成する前記投影スクリーンの第２表面を備えることを特徴とする請求項１に記載のビデオ映像回転装置。
【請求項４】  前記フレネルレンズは、３６０ｍｍに等しいシリンダ半径上に約０．３３ｍｍの間隔と、約ｆ１＝７３０ｍｍの焦点距離とを有することを特徴とする請求項３に記載のビデオ映像回転装置。
【請求項５】  前記光学システムは、前記映像を生成するための光弁手段、光案内手段、および光学手段を備え、前記光学手段は、前記光弁手段からの前記映像を、次に前記投影スクリーンに当該映像を導く前記光案内手段に投影することを特徴とする請求項１に記載のビデオ映像回転装置。
【請求項６】  前記光学手段は、ペシャン・プリズムを含むことを特徴とする請求項５に記載のビデオ映像回転装置。
【請求項７】  前記投影スクリーンを回転させる手段は、所定の回転速度で前記投影スクリーンと前記光案内手段とを同期して回転させる手段を含むことを特徴とする請求項６に記載のビデオ映像回転装置。
【請求項８】  前記投影スクリーンは、前記投影スクリーンを２等分する前記回転軸の周りに回転され、前記光案内手段は、前記回転軸に沿って配置されその周りを回転可能な少なくとも１つのミラーを含むことを特徴とする請求項７に記載のビデオ映像回転装置。
【請求項９】  前記光学手段は、ペシャン・プリズムと関連する投影レンズ組立体を含むことを特徴とする請求項６に記載のビデオ映像回転装置。
【請求項１０】  前記光弁手段は、前記光学手段を通して投影するために、複数の高精細度光弁と、前記複数の光弁によって生成された映像を位置合わせするフィリップス・プリズムとを備えることを特徴とする請求項５に記載のビデオ映像回転装置。
【請求項１１】  前記光弁は、六角形のピクセル部材を含むことを特徴とする請求項１０に記載のビデオ映像回転装置。
【請求項１２】  前記光案内手段は、第１、第２、第３および第４のミラーを含み、前記第１のミラーは前記光学手段から前記投影映像を遮って前記映像を第２のミラーに反射させる位置に置かれており、前記第２のミラーは前記第１のミラーから反射された前記映像を遮って前記第３のミラー上に前記映像を反射させる位置に置かれており、前記第３のミラーは前記第２のミラーから反射された前記映像を遮って第４のミラー上に前記映像を反射させる位置に置かれており、さらに第４のミラーは前記第３のミラーから反射された前記映像を遮って前記映像を投影スクリーン上に反射させる位置に置かれていることを特徴とする請求項５に記載のビデオ映像回転装置。
【請求項１３】  前記第１のミラーと前記投影スクリーンは、回転軸上に置かれていることを特徴とする請求項１２に記載のビデオ映像回転装置。
【請求項１４】  前記光弁手段によって生成された前記映像を電子的に回転するための電子式映像回転システムであって、前記映像回転システムは：
合成ビデオ入力信号に含まれる赤、緑および青の信号を分離するためのカラー処理回路と；
前記赤、緑および青の信号をアナログからデジタル形式に変換するアナログデジタル変換手段と；
デジタルの赤、緑および青の映像データを格納するためのランダム・アクセス・メモリ手段と；
前記回転映像出力信号から再現される映像が格納された映像データから回転して現われるように、前記格納された映像データから回転映像出力信号を生成するアルゴリズムに従って前記ランダム・アクセス・メモリ手段に格納されているデータを選択する出力アドレス発生回路と；
を含むことを特徴とする請求項５に記載のビデオ映像回転装置。
【請求項１５】  前記映像回転システムは、前記赤、緑および青のデジタル映像データを前記ランダム・アクセス・メモリ手段に格納するための位置を選択する入力アドレス発生回路を更に含むことを特徴とする請求項１４に記載のビデオ映像回転装置。
【請求項１６】  前記合成ビデオ入力信号を、前記入力アドレス発生回路のための水平および垂直同期パルスに分離する分離回路を更に含むことを特徴とする請求項１５に記載のビデオ映像回転装置。
【請求項１７】  前記ランダム・アクセス・メモリ手段は、前記映像入力信号を受信して前記回転映像出力信号を生成するために交互に使用される第１と第２のバッファを備えることを特徴とする請求項１６に記載のビデオ映像回転装置。
【請求項１８】  前記入力アドレス発生回路は、各ビデオフレームの先頭で垂直同期パルスの１つおきに、前記第１あるいは第２のバッファのいずれかの位置を選択するためにリセットすることを特徴とする請求項１７に記載のビデオ映像回転装置。
【請求項１９】  ビデオ映像を生成するための光弁手段と；
軸周りに回転可能な背面投影スクリーンと；
前記光弁手段からの前記映像を投影スクリーン上に連続的に投影する光学システムであって、前記光学システムは光案内手段と光学手段とを含み、前記光学手段は、前記光弁手段からの前記映像を、次に前記投影スクリーンに当該映像を導く前記光案内手段に投影する前記光学システム；
前記光弁手段によって生成された前記ビデオ映像を前記軸周りの投影スクリーンの回転に同期して回転させる手段と；
を備えるビデオ映像回転装置であって、
前記投影スクリーンは、前記投影された映像を前記スクリーンの回転軸にほぼ平行に拡大する手段と、前記投影された映像の幅を前記スクリーンの回転軸とほぼ垂直の方向に圧縮する手段とを備え、前記拡大手段が、凸の巨視的な円筒型構造の上部に微視的な円筒型構造を含む第１表面を備え、前記巨視的および微視的な円筒型構造が、前記投影スクリーンの幅に対して平行であることを特徴とするビデオ映像回転装置。
【請求項２０】  前記ビデオ映像を回転させる手段は、前記光弁手段によって生成された前記映像を電子的に回転させる電子式映像回転システムを備えることを特徴とする請求項１９に記載のビデオ映像回転装置。
【請求項２１】  前記電子式映像回転システムは：
合成ビデオ入力信号に含まれる赤、緑および青の信号を分離するためのカラー処理回路と；
前記赤、緑および青の信号をアナログからデジタル形式に変換するアナログデジタル変換手段と；
デジタルの赤、緑および青の映像データを格納するためのランダム・アクセス・メモリ手段と；
前記回転映像出力信号から再現される映像が格納された映像データから回転して現われるように、前記格納された映像データから回転映像出力信号を生成するアルゴリズムに従って前記ランダム・アクセス・メモリ手段に格納されているデータを選択する出力アドレス発生回路と；
を含むことを特徴とする請求項２０に記載のビデオ映像回転装置。
【請求項２２】  前記映像回転システムは、前記赤、緑および青のデジタル映像データを前記ランダム・アクセス・メモリ手段に格納するための位置を選択する入力アドレス発生回路と、前記合成ビデオ入力信号を、前記入力アドレス発生回路のための水平および垂直同期パルスに分離する分離回路を更に含み、前記ランダム・アクセス・メモリ手段は、前記映像入力信号を受信して前記回転映像出力信号を生成するために交互に使用される第１と第２のバッファを備え、前記入力アドレス発生回路は、各ビデオフレームの先頭で垂直同期パルスの１つおきに、前記第１あるいは第２のバッファのいずれかの位置を選択するためにリセットすることを特徴とする請求項２１に記載のビデオ映像回転装置。
【請求項２３】  前記光学手段は、ペシャン・プリズムを含むことを特徴とする請求項１９に記載のビデオ映像回転装置。
【請求項２４】  前記光学手段は、ペシャン・プリズムと関連する投影レンズ組立体を含むことを特徴とする請求項２３に記載のビデオ映像回転装置。
【請求項２５】  前記投影スクリーンを回転させる手段は、所定の回転速度で前記投影スクリーンと前記光案内手段とを同期して回転させる手段を含むことを特徴とする請求項１９に記載のビデオ映像回転装置。
【請求項２６】  前記光弁手段は、複数の高精細度光弁を備えることを特徴とする請求項１９に記載のビデオ映像回転装置。
【請求項２７】  前記光弁手段は、前記光学手段を通して投影するために前記複数の光弁によって生成された映像を位置合わせするフィリップス・プリズムを更に備えることを特徴とする請求項２６に記載のビデオ映像回転装置。
【請求項２８】  前記光弁は、六角形のピクセル部材を含むことを特徴とする請求項２６に記載のビデオ映像回転装置。
【請求項２９】  前記光案内手段は、第１、第２、第３および第４のミラーを含み、前記第１のミラーは前記光学手段から前記投影映像を遮って前記映像を第２のミラーに反射させる位置に置かれており、前記第２のミラーは前記第１のミラーから反射された前記映像を遮って前記第３のミラー上に前記映像を反射させる位置に置かれており、前記第３のミラーは前記第２のミラーから反射された前記映像を遮って第４のミラー上に前記映像を反射させる位置に置かれており、第４のミラーは前記第３のミラーから反射された前記映像を遮って前記映像を投影スクリーン上に反射させる位置に置かれており、前記第１のミラーと前記投影スクリーンとは回転軸上に置かれていることを特徴とする請求項１９に記載のビデオ映像回転装置。
【請求項３０】  前記投影された映像の幅を前記スクリーンの回転軸にほぼ垂直な方向に圧縮する手段は、前記投影スクリーンの高さ方向に平行な凸の円筒型フレネルレンズを形成する前記投影スクリーンの第２表面を備えることを特徴とする請求項１９に記載のビデオ映像回転装置。
【請求項３１】  投影スクリーンと；
前記投影スクリーンを軸周りに回転させる手段と；
前記投影スクリーン上に映像を連続的に投影する光学システムであって、前記光学システムが前記映像を生成するための光弁手段、光案内手段、および光学手段を備え、前記光学手段は、前記光弁手段からの前記映像を、次に前記投影スクリーンに当該映像を導く前記光案内手段に投影し、前記光弁手段は、複数の高精細度光弁と、前記光学手段を通して投影するために前記複数の光弁によって生成される映像を位置合わせするフィリップス・プリズムとを備えている前記光学システムと；
を備えるビデオ映像回転装置であって、
前記投影スクリーンは、前記投影された映像を前記スクリーンの回転軸にほぼ平行に拡大する手段と、前記投影された映像の幅を前記スクリーンの回転軸とほぼ垂直の方向に圧縮する手段とを備え、前記投影された映像を前記スクリーン回転軸にほぼ平行に拡大する手段は、凸の巨視的な円筒型構造の上部に微視的な円筒型構造を含む第１表面を備え、前記巨視的および微視的な円筒型構造は、前記投影スクリーンの幅に対して平行であり、前記投影された映像の幅を前記スクリーンの回転軸にほぼ垂直な方向に圧縮する手段は、前記投影スクリーンの高さ方向に平行な凸の円筒型フレネルレンズを形成する前記投影スクリーンの第２表面を備えることを特徴とするビデオ映像回転装置。
【請求項３２】  前記光学手段はペシャン・プリズムを含み、前記光学手段はペシャン・プリズムに関連するレンズ組立体を含むことを特徴とするから請求項３１に記載のビデオ映像回転装置。
【請求項３３】  前記投影スクリーンを回転させる手段は、所定の回転速度で前記投影スクリーンと前記光案内手段とを同期して回転させる手段を含み、前記光案内手段は、第１、第２、第３および第４のミラーを含み、前記第１のミラーは前記光学手段から前記投影映像を遮って前記映像を第２のミラーに反射させる位置に置かれており、前記第２のミラーは前記第１のミラーから反射された前記映像を遮って前記第３のミラー上に前記映像を反射させる位置に置かれており、前記第３のミラーは前記第２のミラーから反射された前記映像を遮って第４のミラー上に前記映像を反射させる位置に置かれており、第４のミラーは前記第３のミラーから反射された前記映像を遮って前記映像を投影スクリーン上に反射させる位置に置かれており、前記第１のミラーと前記投影スクリーンとは回転軸上に置かれていることを特徴とする請求項３１に記載のビデオ映像回転装置。
【請求項３４】  前記光弁は、六角形のピクセル部材であることを特徴とする請求項３１に記載のビデオ映像回転装置。
【請求項３５】  前記電子式映像回転システムは：
合成ビデオ入力信号に含まれる赤、緑および青の信号を分離するためのカラー処理回路と；
前記赤、緑および青の信号をアナログからデジタル形式に変換するアナログデジタル変換手段と；
デジタルの赤、緑および青の映像データを格納するためのランダム・アクセス・メモリ手段と；
前記回転映像出力信号から再現される映像が格納された映像データから回転して現われるように、前記格納された映像データから回転映像出力信号を生成するアルゴリズムに従って前記ランダム・アクセス・メモリ手段に格納されているデータを選択する出力アドレス発生回路と；
を含むことを特徴とする請求項３１に記載のビデオ映像回転装置。
【請求項３６】  前記映像回転システムは、前記赤、緑および青のデジタル映像データを前記ランダム・アクセス・メモリ手段に格納するための位置を選択する入力アドレス発生回路と、前記合成ビデオ入力信号を、前記入力アドレス発生回路のための水平および垂直同期パルスに分離する分離回路とを更に含み、前記ランダム・アクセス・メモリ手段は、前記映像入力信号を受信して前記回転映像出力信号を生成するために交互に使用される第１と第２のバッファを備え、前記入力アドレス発生回路は、各ビデオフレームの先頭で垂直同期パルスの１つおきに、前記第１あるいは第２のバッファのいずれかの位置を選択するためにリセットすることを特徴とする請求項３５に記載のビデオ映像回転装置。
【請求項３７】  投影スクリーンと；
前記投影スクリーンを軸周りに回転させる手段と；
前記投影スクリーン上に映像を連続的に投影する光学システムであって、前記光学システムは光案内手段と光学手段とを含み、前記光学手段は、前記映像を次に前記投影スクリーンに当該映像を導く前記光案内手段に投影する前記光学システムと；
を備えるビデオ映像回転装置であって、
前記投影スクリーンは、前記投影された映像の幅を回転軸とほぼ垂直な方向に圧縮するための凸の円筒型フレネルレンズを形成する表面を含むことを特徴とするビデオ映像回転装置。
【請求項３８】  前記光学システムは、前記映像を投影するための複数の高精細度光弁を更に含むことを特徴とする請求項３７に記載のビデオ映像回転装置。
【請求項３９】  前記光弁は、六角形のピクセル部材を含むことを特徴とする請求項３７に記載のビデオ映像回転装置。
【請求項４０】  前記光学手段を通して投影するための前記複数の光弁によって生成された映像を位置合わせする前記複数の高精細度光弁に関連するフィリップス・プリズムを含むことを特徴とする請求項３７に記載のビデオ映像回転装置。
【請求項４１】  前記投影スクリーンは、前記投影映像を前記スクリーンの回転軸にほぼ平行に拡大する手段を含み、前記投影映像を拡大する手段は、凸の巨視的な円筒型構造の上部に微視的な円筒型構造を有する前記投影スクリーンの別の表面を含み、前記巨視的および微視的な円筒型構造は、前記投影スクリーンの幅に平行である請求項３７に記載のビデオ映像回転装置。
【請求項４２】  ビデオ映像を生成するための光弁手段と；
軸周りに回転可能な背面投影スクリーンと；
前記光弁手段からの前記映像を投影スクリーン上に連続的に投影する光学システムであって、前記光学システムは光案内手段と光学手段とを含み、前記光学手段は、前記光弁手段からの前記映像を、次に前記投影スクリーンに当該映像を導く前記光案内手段に投影する前記光学システムと；
前記光弁手段によって生成された前記ビデオ映像を前記軸周りの投影スクリーンの回転に同期して回転させる手段と；
を備えるビデオ映像回転装置であって、
前記投影スクリーンは、前記投影された映像を前記スクリーンの回転軸にほぼ平行に拡大する手段と、前記投影された映像の幅を前記スクリーンの回転軸とほぼ垂直の方向に圧縮する手段とを備え、前記圧縮手段は、投影スクリーンの高さ方向に平行にフレネルレンズを形成する前記投影スクリーンの第２の面を備えることを特徴とするビデオ映像回転装置。